(57)【要約】【課題】石油給湯器、石油温水暖房機、石油暖房機等の液体燃料燃焼装置の設置作業を水平度を管理しながら厳格に行なわなくても、噴霧ノズルから漏出した液体燃料を燃焼室側に押しやり、燃焼室の余熱で液体燃料を蒸発させることができ、液体燃料が装置の外部に漏出するのを防止できる圧力噴霧式バーナのノズル取付用の底壁部材を提供する。【解決手段】本発明の圧力噴霧式バーナのノズル取付用の底壁部材１は、燃料噴霧用の噴霧ノズルが挿通されるノズル挿入孔３と、ノズル挿入孔３の外周の下部に凸状に形成された第一通気孔４と、を備える。【選択図】図１
2010151422.tif 000002
【特許請求の範囲】
【請求項１】
燃料噴霧用の噴霧ノズルが挿通されるノズル挿入孔と、前記ノズル挿入孔の外周の下部に凸状に形成された第一通気孔と、を備えていることを特徴とする圧力噴霧式バーナのノズル取付用の底壁部材。
【請求項２】
前記ノズル挿入孔の外周の２箇所に凸状に形成され放電電極が挿通される放電電極挿入孔と、２箇所の前記放電電極挿入孔の間に形成され前記ノズル挿入孔に挿通される噴霧ノズルに当接する噴霧ノズル当接部と、を備えていることを特徴とする請求項１に記載の圧力噴霧式バーナのノズル取付用の底壁部材。
【請求項３】
２箇所の前記放電電極挿入孔の間に形成された第二通気孔を備えていることを特徴とする請求項２に記載の圧力噴霧式バーナのノズル取付用の底壁部材。
【請求項４】
前記ノズル挿入孔及び前記第一通気孔の外側に形成された第三通気孔を備えていることを特徴とする請求項１乃至３の内いずれか１に記載の圧力噴霧式バーナのノズル取付用の底壁部材。
【発明の詳細な説明】
【技術分野】
【０００１】
本発明は、石油給湯器、石油温水暖房機、石油暖房機等の液体燃料燃焼装置に用いられる圧力噴霧式バーナのノズル取付用の底壁部材に関するものである。
【背景技術】
【０００２】
従来より、石油給湯器、石油温水暖房機、石油暖房機等の液体燃料燃焼装置には、灯油，軽油，重油等の液体燃料を圧力によって霧化し、蒸発燃焼させる方式の圧力噴霧式バーナが用いられている。
ここで、液体燃料燃焼装置及び一般的な圧力噴霧式バーナについて、以下、図面を参照しながら説明する。
【０００３】
図２は液体燃料燃焼装置の模式断面図であり、図３は圧力噴霧式バーナの要部組立構成図であり、図４は圧力噴霧式バーナのノズル取付用の従来の底壁部材の正面図である。
図２及び図３において、１１は石油給湯器，石油温水暖房機，石油暖房機等の液体燃料燃焼装置、１２は液体燃料燃焼装置１１の外装体、１３は外装体１２内に配設され図示しない熱交換器と熱交換を行なう高温の燃焼ガスを発生させる燃焼室、１４は外装体１２と燃焼室１３との間に配設された断熱材、１５は燃焼室１３内に向けて配設された圧力噴霧式バーナ、１６は圧力噴霧式バーナ１５のバーナチューブ、１７はバーナチューブ１６に送風する送風機、１８はバーナチューブ１６の先端側の内側に送風流路と略直交して配設されたノズル取付用の底壁部材、１９はノズル取付用の底壁部材１８を貫通して配設された噴霧ノズル、１９ａは噴霧ノズル１９のノズルアダプタ、２０はノズルアダプタ１９ａの先端に配設された噴霧ノズル１９の噴霧部、２１は噴霧ノズル１９のノズルアダプタ１９ａの後端に接続され灯油，軽油，重油等の液体燃料が流れる燃料管、２２は燃料管２１に配設され液体燃料を加圧する電磁ポンプ、２３は電磁ポンプ２２の下流の燃料管２１に配設された電磁弁、２４はノズル取付用の底壁部材１８を貫通して配設された碍子等の絶縁体、２５は絶縁体２４を貫通して燃焼室１３側に配設された放電電極、２６は放電電極２５に接続された点火変圧器、２７はバーナチューブ１６の先端側のノズル取付用の底壁部材１８の前方に配設され先端側が縮径した筒状のスタビライザ、２８はスタビライザ２７の前方に配設された燃焼筒である。
図４において、１８ａは円板状に形成されたノズル取付用の底壁部材１８の底壁、１８ｂは底壁１８ａの略中心に形成され噴霧ノズル１９のノズルアダプタ１９ａが挿通される略円形状のノズル挿入孔、１８ｃはノズル挿入孔１８ｂの外周の２箇所に凸状に形成され放電電極２５の絶縁体２４が挿通される略円形状の放電電極挿入孔、破線はノズル挿入孔１８ｂに挿通された噴霧ノズル１９のノズルアダプタ１９ａの輪郭を表す仮想線であり、また放電電極挿入孔１８ｃに挿通された放電電極２５の絶縁体２４の輪郭を表す仮想線である。１８ｄは２箇所の放電電極挿入孔１８ｃの間に形成された挿入孔上縁部、１８ｅはノズル挿入孔１８ｂに挿通された噴霧ノズル１９のノズルアダプタ１９ａと挿入孔上縁部１８ｄとの間隙、１８ｆは底壁１８ａの外周近傍の複数個所に形成され底壁１８ａをスタビライザ２８の後端に取り付けるためのビス等の固定部材を挿通する固定部材挿入孔である。
【０００４】
以上のように構成された液体燃料燃焼装置１１の運転を開始するには、まず送風機１７を駆動させ、燃焼用空気を圧力噴霧式バーナ１５のバーナチューブ１６内に供給する。バーナチューブ１６内に供給された燃焼用空気は、燃焼筒２８内に流れる。ここで、電磁ポンプ２２を駆動させ電磁弁２３を開弁すると、噴霧ノズル１９の噴霧部２０から液体燃料が噴霧され、噴霧された液体燃料は送風機１７からの空気と混合され、放電電極２５の放電スパークによって着火され、圧力噴霧式バーナ１５は燃焼室１３に火炎を形成して燃焼を開始する。燃焼室１３で生じた高温の燃焼ガスは、図示しない熱交換器と熱交換を行い、給湯や暖房等に利用される。
【０００５】
このような液体燃料燃焼装置１１の運転を停止させるには、電磁ポンプ２２を停止させ圧力噴霧式バーナ１５の燃焼を停止させるが、電磁弁２３から噴霧部２０の間に残留した液体燃焼が余圧により噴霧部２０から漏れ出す現象（以下、この現象を「後だれ」という。）が生じ、漏れ出した液体燃料が液体燃料燃焼装置１１の外装体１２の外部に漏出することもあった。
また、ノズル挿入孔１８ｂに挿通された噴霧ノズル１９のノズルアダプタ１９ａと挿入孔上縁部１８ｄとの間隙１８ｅが存在するため、送風機１７からの空気が間隙１８ｅを通過して、着火の際に、噴霧ノズル１９と放電電極２５との間に流れ込む空気量が多くなるため、噴霧部２０から噴霧された液体燃料の濃度（放電電極２５に発生させた放電スパーク部分の濃度）が希薄となり、放電スパークで着火され難くなっていた。着火性能を向上させるため、着火に最適な混合比を得るには、液体燃料の噴霧量を多くしなければならなかった。このため、燃焼前に過剰量の液体燃料が噴霧され、着火時に燃料臭が生じたり着火音が大きくなったりして、不快に感じることがあった。
【０００６】
この「後だれ」を防止するための従来の技術として、（特許文献１）に「ガンタイプバーナ（圧力噴霧式バーナ）を、燃焼室に向かって斜め下方に傾斜するように取り付けた液体燃料燃焼装置」が開示されている。この技術は、後だれによりバーナチューブの底部に滴下した液体燃料を、燃焼室に向かって斜め下方に傾斜したバーナチューブの内底面を伝って燃焼室側に流し、バーナチューブの先端部から燃焼室内に滴下させることにより、外部に漏出するのを防止するものである。
（特許文献２）には、「ガンタイプバーナ（圧力噴霧式バーナ）のバーナチューブの基端部側適所に、液体燃料逆流防止用の堰を設けた液体燃料燃焼装置」が開示されている。この技術は、後だれによりバーナチューブの底部に滴下した液体燃料が外部に向かって流れるのを、堰によって阻止するものである。
【特許文献１】特開平７−１７４４１３号公報
【特許文献２】特開平９−２１０３１２号公報
【発明の開示】
【発明が解決しようとする課題】
【０００７】
しかしながら上記従来の技術においては、以下のような課題を有していた。
（１）（特許文献１）に開示の技術は、液体燃料燃焼装置を設置する際の水平度にバラツキが生じると、燃焼室に向かって流れるはずの液体燃料が反対側に向かって流れ出し、装置の外部に漏出するという課題を有していた。これを防ぐため、液体燃料燃焼装置の設置作業は、水平度を管理しながら厳格に行なう必要があり、設置作業が著しく煩雑化し、設置作業性に欠けるという課題を有していた。
（２）（特許文献１）に開示の液体燃料燃焼装置は、ガンタイプバーナの先端を下向きに傾斜させて燃焼室に挿入する構造となっているため、ガンタイプバーナの挿入作業が煩雑で生産性が低いという課題を有していた。また、ガンタイプバーナの先端が下向きに傾斜しているので、火炎が燃焼室の底部に向かって噴射されるため、燃焼室の底部が過熱により破損し易くなるという課題を有していた。
（３）（特許文献２）に開示の技術は、堰の高さを超える量の液体燃料が後だれにより滴下すると、液体燃料が外部に漏出するという課題を有していた。
【０００８】
本発明は上記従来の課題を解決するもので、液体燃料燃焼装置の設置作業を水平度を管理しながら厳格に行なわなくても、噴霧ノズルから漏出した液体燃料を燃焼室側に押しやり、燃焼室の余熱で液体燃料を蒸発させることができ、液体燃料が装置の外部に漏出するのを防止できる圧力噴霧式バーナのノズル取付用の底壁部材を提供することを目的とする。
【課題を解決するための手段】
【０００９】
上記従来の課題を解決するために本発明の圧力噴霧式バーナのノズル取付用の底壁部材は、以下の構成を有している。
本発明の請求項１に記載の圧力噴霧式バーナのノズル取付用の底壁部材は、燃料噴霧用の噴霧ノズルが挿通されるノズル挿入孔と、前記ノズル挿入孔の外周の下部に凸状に形成された第一通気孔と、を備えた構成を有している。
この構成により、以下のような作用が得られる。
（１）液体燃料燃焼装置では、燃焼停止後、排気ガスが冷えてドレインとなり低温腐食の原因となるのを防止するため、一定時間送風機を運転継続し燃焼室のガスを排出するポストパージが行なわれる。ノズル挿入孔の外周の下部に凸状に形成された第一通気孔を備えているので、第一通気孔に、ポストパージの際に送風機から送られた空気を通過させ、後だれにより噴霧ノズルから漏出した液体燃料を燃焼室側に押しやり、燃焼室の余熱で液体燃料を蒸発させることができ、液体燃料が装置の外部に漏出するのを防止できる。
（２）第一通気孔を通過する気流で、噴霧ノズルに付着した後だれの液体燃料の周囲の空気の蒸気密度が低くなるので、噴霧ノズルに付着した液体燃料が蒸発し易くなる。
【００１０】
ここで、第一通気孔としては、ノズル挿入孔の外周の下部に形成されていれば、形状は特に制限されない。後だれによる液体燃料は、重力により噴霧ノズルから下側に漏出するため、第一通気孔がどのような形状をしていても、ポストパージの際に送風機から送られた空気によって、液体燃料を燃焼室側に押しやることができるからである。例えば、半円状，円弧状，矩形状，方形状等を挙げることができる。
第一通気孔の面積があまり大きくなると、第一通気孔を通過する空気の流速が小さくなり、液体燃料を燃焼室側に押しやる効果が低減するので、後だれによって生じる液体燃料の漏出量に応じて、第一通気孔の面積を適宜設定する。
【００１１】
本発明の請求項２に記載の発明は、請求項１に記載の圧力噴霧式バーナのノズル取付用の底壁部材であって、前記ノズル挿入孔の外周の２箇所に凸状に形成され放電電極が挿通される放電電極挿入孔と、２箇所の前記放電電極挿入孔の間に形成され前記ノズル挿入孔に挿通される噴霧ノズルに当接する噴霧ノズル当接部と、を備えた構成を有している。
この構成により、請求項１で得られる作用に加え、以下のような作用が得られる。
（１）ノズル挿入孔に挿通される噴霧ノズルに当接する噴霧ノズル当接部を備えているので、送風機からの空気が噴霧ノズル当接部で遮られるため、着火の際に、噴霧ノズルと放電電極との間に流れ込む空気量を抑えることができ、液体燃料の噴霧量が少なくても着火に最適な混合比が得られるため、着火性能を向上させるとともに、過剰量の液体燃料の噴霧を抑え、着火時に生ずる燃料臭や着火音を抑えることができる。
【００１２】
ここで、噴霧ノズル当接部としては、噴霧ノズルとの隙間をできる限り小さくするように、噴霧ノズルの外周に沿わして当接するものが用いられる。このため、噴霧ノズル当接部の形状としては、噴霧ノズルの外周の形状に対応したものが用いられる。
【００１３】
噴霧ノズル当接部が形成されたノズル取付用の底壁部材は、着火時に液体燃料の噴霧量を徐々に増やす緩点火式の圧力噴霧式バーナに好適に用いることができる。噴霧ノズル当接部が形成されたノズル取付用の底壁部材を備えた圧力噴霧式バーナは、液体燃料の噴霧量が少なくても着火し易くなるからである。これにより、着火音が大幅に小さくなるとともに、噴霧した液体燃料に確実に着火するので臭いが低減する。
【００１４】
本発明の請求項３に記載の発明は、請求項２に記載の圧力噴霧式バーナのノズル取付用の底壁部材であって、２箇所の前記放電電極挿入孔の間に形成された第二通気孔を備えた構成を有している。
この構成により、請求項２で得られる作用に加え、以下のような作用が得られる。
（１）２箇所の放電電極挿入孔の間に形成された第二通気孔を備えているので、着火の際、放電電極に生じた放電スパークが第二通気孔を通過した空気に導かれ、噴霧ノズルから噴霧された液体燃料に向けて放電スパークを吹き広げることができるため、着火性能を向上させることができる。
【００１５】
ここで、第二通気孔の形状としては、略円形状や矩形等の多角形状を適宜選択して用いることができる。第二通気孔の面積は、送風機からの空気の流量等を考慮して、第二通気孔を通過する空気の流速や流量が、着火に最適な流速や流量になるように適宜設定される。第二通気孔を複数個形成することもできる。
【００１６】
本発明の請求項４に記載の発明は、請求項１乃至３の内いずれか１に記載の圧力噴霧式バーナのノズル取付用の底壁部材であって、前記ノズル挿入孔及び前記第一通気孔の外側に形成された第三通気孔を備えた構成を有している。
この構成により、請求項１乃至３の内いずれか１で得られる作用に加え、以下のような作用が得られる。
（１）第三通気孔を設けることにより、送風機からの燃焼用空気量と電磁ポンプによる液体燃料の供給量とを最適化させて、着火性能を向上させることができる。
【００１７】
ここで、第三通気孔の形状としては、略円形状や矩形等の多角形状を適宜選択して用いることができる。第三通気孔は、ノズル挿入孔及び第一通気孔の外側に複数個形成することができ、第三通気孔の総面積は、送風機からの燃焼用空気量と電磁ポンプによる液体燃料の供給量との関係から、適宜設定される。
【発明の効果】
【００１８】
以上のように、本発明の圧力噴霧式バーナのノズル取付用の底壁部材によれば、以下のような有利な効果が得られる。
請求項１に記載の発明によれば、
（１）ポストパージの際に送風機から送られた空気を第一通気孔に通過させ、後だれにより噴霧ノズルから第一通気孔側に漏出した液体燃料を燃焼室側に押しやり、燃焼室の余熱で液体燃料を蒸発させることができ、また後だれの液体燃料の周囲の空気の蒸気密度を低下させて噴霧ノズルに付着した液体燃料を蒸発させることができ、液体燃料が装置の外部に漏出するのを防止できる圧力噴霧式バーナのノズル取付用の底壁部材を提供できる。
【００１９】
請求項２に記載の発明によれば、請求項１の効果に加え、
（１）送風機からの空気が噴霧ノズル当接部で遮られるため、着火の際に、噴霧ノズルと放電電極との間に流れ込む空気量が抑えられ、液体燃料の噴霧量が少なくても着火に最適な混合比が得られるため、着火性能を向上させるとともに、過剰量の液体燃料の噴霧を抑え、着火時に生ずる燃料臭や着火音を抑えることができる圧力噴霧式バーナのノズル取付用の底壁部材を提供できる。
【００２０】
請求項３に記載の発明によれば、請求項２の効果に加え、
（１）着火の際、放電電極に生じた放電スパークが第二通気孔を通過した空気に導かれ、噴霧ノズルから噴霧された液体燃料に向けて放電スパークを吹き広げることができるため、着火性能を向上させることができる圧力噴霧式バーナのノズル取付用の底壁部材を提供できる。
【００２１】
請求項４に記載の発明によれば、請求項１乃至３の内いずれか１の効果に加え、
（１）送風機からの燃焼用空気量と電磁ポンプによる液体燃料の供給量とを最適化させて、着火性能を向上させることができる圧力噴霧式バーナのノズル取付用の底壁部材を提供できる。
【発明を実施するための最良の形態】
【００２２】
以下、本発明を実施するための最良の形態を、図面を参照しながら説明する。なお、（背景技術）において説明したものと同様のものは、同じ符号を付して説明を省略する。
（実施の形態１）
図１は本発明の実施の形態１における圧力噴霧式バーナのノズル取付用の底壁部材の正面図である。
図中、１は実施の形態１における圧力噴霧式バーナのノズル取付用の底壁部材、２は円板状に形成されたノズル取付用の底壁部材１の底壁、３は底壁２の略中心に形成され噴霧ノズル１９のノズルアダプタ１９ａが挿通される略円形状のノズル挿入孔、４はノズル挿入孔３の外周の下部に略半円状乃至は略円弧状の凸状に形成された第一通気孔、５はノズル挿入孔３の外周の上部の２箇所に凸状に形成され放電電極２５の絶縁体２４が挿通される略円形状の放電電極挿入孔、破線はノズル挿入孔３に挿通された噴霧ノズル１９のノズルアダプタ１９ａの輪郭を表す仮想線であり、また放電電極挿入孔５に挿通された放電電極２５の絶縁体２４の輪郭を表す仮想線である。６は２箇所の放電電極挿入孔５の間に形成されノズル挿入孔３に挿通される噴霧ノズル１９の外周に当接する略円弧状の噴霧ノズル当接部、６ａはノズル挿入孔３に挿通される噴霧ノズル１９のノズルアダプタ１９ａの外周と放電電極挿入孔５に挿通される放電電極２５の絶縁体２４の外周との間に形成される幅狭の微少な隙間である。７は２個の放電電極挿入孔５の間で噴霧ノズル当接部６の上方に形成された略円形状の第二通気孔、８はノズル挿入孔３及び第一通気孔４の外側で底壁２の外周に沿って複数形成された略円形状の第三通気孔、９は底壁２の外周近傍の複数個所に形成され底壁２をスタビライザ２８の後端に取り付けるためのビス等の固定部材を挿通する固定部材挿入孔である。
【００２３】
以上のように構成された本発明の実施の形態１におけるノズル取付用の底壁部材を有する圧力噴霧式バーナを用いた液体燃料燃焼装置の使用方法を説明する。
液体燃料燃焼装置１１の運転を開始するには、まず送風機１７を駆動させ、燃焼用空気を圧力噴霧式バーナ１５のバーナチューブ１６内に供給する。バーナチューブ１６内に供給された燃焼用空気は、燃焼筒２８内に流れる。また、燃焼用空気の一部は、第一通気孔４、第二通気孔７及び第三通気孔８を通過する。第二通気孔７を通過した空気は、縮径したスタビライザ２７によって、噴霧ノズル１９の中心軸へと導かれる。
ここで、電磁ポンプ２２を駆動させ電磁弁２３を開弁すると、噴霧ノズル１９の噴霧部２０から液体燃料が噴霧され、噴霧された液体燃料は送風機１７からの空気と混合され、放電電極２５に発生させた放電スパークが第二通気孔７を通過した空気によって噴霧ノズル１９の中心軸へと導かれ、噴霧部２０から噴霧された液体燃料に当たるため、スムーズに着火され、燃焼室１３に火炎を形成して燃焼を開始する。なお、隙間６ａは幅狭で微少であり、隙間６ａに噴霧部２０や放電電極２５が迫り出すので、着火特性にほとんど影響を与えない。
このような液体燃料燃焼装置１１の運転を停止させるには、電磁ポンプ２２を停止させ圧力噴霧式バーナ１５の燃焼を停止させる。ポストパージが始まると、送風機１７から送られた空気が第一通気孔４を通過し、後だれにより噴霧ノズル１９から第一通気孔４側に漏出した液体燃料を燃焼室１３側に押しやり吹き飛ばすとともに、噴霧ノズル１９の周囲の蒸気密度を低下させ噴霧ノズル１９に付着している液体燃料を、燃焼室１３の予熱で蒸発させる。
【００２４】
以上のように、本発明の実施の形態１における圧力噴霧式バーナのノズル取付用の底壁部材は構成されているので、以下のような作用が得られる。
（１）液体燃料燃焼装置１で通常行なわれるポストパージの際に、送風機１７から送られた空気を第一通気孔４に通過させ、後だれにより噴霧ノズル１９から第一通気孔４側に漏出した液体燃料を燃焼室１３側に押しやり吹き飛ばすとともに、噴霧ノズル１９に付着している液体燃料を蒸発させることができ、液体燃料が装置の外部に漏出するのを防止できる。
（２）ノズル挿入孔３に挿通される噴霧ノズル１９に当接する噴霧ノズル当接部６を備えているので、送風機１７からの空気が噴霧ノズル当接部６で遮られ、着火の際に、噴霧ノズル１９と放電電極２５との間に流れ込む空気量を抑えることができ、液体燃料の噴霧量が少なくても着火に最適な混合比が得られるため、着火性能を向上させるとともに、液体燃料の過剰噴霧を抑え、着火時に生ずる燃料臭や着火音を抑えることができる。
（３）放電電極挿入孔５の間に形成された第二通気孔７を備えているので、送風機１７からの空気が第二通気孔７を通過し、スタビライザ２７によって噴霧ノズル１９の中心軸へと導かれるので、着火の際、放電電極２５に生じた放電スパークを噴霧ノズル１９から噴霧された液体燃料に向けて吹き広げることができるため、着火性能を向上させることができる。
（４）底壁２の外周に沿って複数の第三通気孔８が形成されているので、送風機１７からの燃焼用空気量と電磁ポンプ２２による液体燃料の供給量とを最適化させて、着火性能を向上させることができる。
【００２５】
ここで、本実施の形態においては、第一通気孔４が半円状乃至は円弧状に形成されている場合について説明したが、これに限定するものではなく、矩形状，方形状等に形成される場合もある。
また、第二通気孔７が略円形状に形成された場合について説明したが、矩形状、多角形状等に形成される場合もある。また、第二通気孔７を複数個形成する場合もある。
また、複数個の第三通気孔８が形成されている場合について説明したが、必ずしも必要なものではなく、送風機１７からの燃焼用空気量と電磁ポンプ２２による液体燃料の供給量との関係を考慮して、第三通気孔８を設けない場合もある。
また、ノズル取付用の底壁部材１がスタビライザ２７の後端に取り付けられるものである場合について説明したが、これに限定するものではなく、ノズル取付用の底壁部材１がスタビライザ２７と一体に形成されている場合もある。また、スタビライザ２７と燃焼筒２８が一体に形成されている場合もある。
【産業上の利用可能性】
【００２６】
本発明は、石油給湯器、石油温水暖房機、石油暖房機等の液体燃料燃焼装置に用いられる圧力噴霧式バーナのノズル取付用の底壁部材に関し、液体燃料燃焼装置の設置作業を水平度を管理しながら厳格に行なわなくても、噴霧ノズルから漏出した液体燃料を燃焼室側に押しやり吹き飛ばすとともに、噴霧ノズルに付着している液体燃料を蒸発させることができ、液体燃料が装置の外部に漏出するのを防止できる圧力噴霧式バーナのノズル取付用の底壁部材を提供できる。
【図面の簡単な説明】
【００２７】
【図１】本発明の実施の形態１におけるノズル取付用の底壁部材の正面図
【図２】液体燃料燃焼装置の模式断面図
【図３】圧力噴霧式バーナの要部組立構成図
【図４】圧力噴霧式バーナの従来のノズル取付用の底壁部材の正面図
【符号の説明】
【００２８】
１  ノズル取付用の底壁部材
２  底壁
３  ノズル挿入孔
４  第一通気孔
５  放電電極挿入孔
６  噴霧ノズル当接部
６ａ  隙間
７  第二通気孔
８  第三通気孔
９  固定部材挿入孔
１１  液体燃料燃焼装置
１２  外装体
１３  燃焼室
１４  断熱材
１５  圧力噴霧式バーナ
１６  バーナチューブ
１７  送風機
１８  ノズル取付用の底壁部材
１８ａ  底壁
１８ｂ  ノズル挿入孔
１８ｃ  放電電極挿入孔
１８ｄ  挿入孔上縁部
１８ｅ  間隙
１８ｆ  固定部材挿入孔
１９  噴霧ノズル
１９ａ  ノズルアダプタ
２０  噴霧部
２１  燃料管
２２  電磁ポンプ
２３  電磁弁
２４  絶縁体
２５  放電電極
２６  点火変圧器
２７  スタビライザ
２８  燃焼筒
【図１】
2010151422.tif 000003
【図２】
2010151422.tif 000004
【図３】
2010151422.tif 000005
【図４】
2010151422.tif 000006